(57)【要約】【課題】ブロック要素と無端ベルト要素からなる無端ブロックベルトに於いては、一連のプロック要素の左右方向位置が乱れを抑制するためクラウニングが行なわれているが、クラウニングによって無端ベルト要素の耐久性が損なわれる虞れがあることに対処する。【解決手段】ブロック要素の無端ベルト要素支持面を中高にするクラウニングを無端ベルト要素支持面の幅方向領域の一部についてのみ行い、無端ベルト要素に作用する荷重をその横断面の全域にわたって可及的に均一に保ってブロック要素と無端ベルト要素の間に必要なクラウニング案内作用を得る。【選択図】    図１
2004150570.tif 000002
【特許請求の範囲】
【請求項１】
一対の帯状無端ベルト要素と、中央の頚部の両側に形成された一対の無端ベルト要素保持溝にて前記一対の無端ベルト要素と保持し前記無端ベルト要素が湾曲するとき前記無端ベルト要素保持溝の一方の縁が呈する無端ベルト要素支持面にて前記無端ベルト要素を支える一連のブロック要素とを有する無端ブロックベルトにして、前記ブロック要素の前記無端ベルト要素支持面は前記無端ベルト要素の幅に対応する幅領域の一部に於いてのみクラウニングされており、前記無端ベルト要素は前記無端ベルト要素支持面のクラウニングに対応した幅領域の一部に於いて前記クラウニングに対応して湾曲されていることを特徴とする無端ブロックベルト。
【請求項２】
前記クラウニングは前記無端ベルト要素支持面の幅方向両端の帯域を除く中央の帯域に於いてなされていることを特徴とする請求項１に記載の無端ブロックベルト。
【発明の詳細な説明】
【０００１】
【発明の属する技術分野】
本発明は、プーリ間に掛け渡されて回転力を伝達する無端ベルトに係わり、特に一対の帯状無端ベルト要素と、中央の頚部の両側に形成された一対の無端ベルト要素保持溝にて前記一対の無端ベルト要素と保持し前記無端ベルト要素が湾曲するとき前記ベルト要素保持溝の一方の縁が呈する無端ベルト要素支持面にて前記無端ベルト要素を支える一連のブロック要素とを有する無端ブロックベルトに係る。
【０００２】
【従来の技術】
上記の如き基本構成を有する無端ブロックベルトは、無段変速機等のプーリ間に架け渡されて回転力を伝達する無端ベルトとしてこの技術の分野に於いてはよく知られている。添付の図２はそのような無端ブロックベルトを２つのＶ型プーリ対の間に架け渡して無段変速機を構成した典型例を示す概略図である。図に於いて、１０および１２が２つのＶ型プーリ対のそれぞれの片方であり、１４が無端ブロックベルトである。各々が円錐状ベルト係合面を呈するプーリ対の間の幅を制御し、各プーリ対に於けるベルトの係合半径Ｒ１とＲ２の相対比を変えることによりによりプーリ対間に伝達される回転力の変速比が変えられるようになっている。
【０００３】
図２の断面表示３−３による無端ベルト要素の断面と一つのブロック要素の輪郭とが図３に示されている。ここに示した従来例は、一対の帯状の無端ベルト要素１６（この例では各無端ベルト要素は２枚重ねとなっている）と、中央の頚部１８の両側に形成された一対の無端ベルト要素保持溝２０にて一対の無端ベルト要素１６を保持し該無端ベルト要素が湾曲するとき無端ベルト要素保持溝２０の一方の縁が呈する無端ベルト要素支持面２２にて無端ベルト要素１６を支える一連のブロック要素２４の例である。
【０００４】
この種の無端ブロックベルトに於いては、ブロック要素の無端ベルト要素支持面（図３に於ける２２）を無端ベルトの延在方向に沿って見て中高に湾曲した形状とするクラウニングという手法が知られている。図３に示す例に於いては、クラウニングは図でみてＯｃ点に中心を有する円弧面を呈するように形成されている。これは、ブロック要素の無端ベルト要素支持面がそのようにクラウニングされていると、無端ベルト要素がブロック要素と共にプーリの周りを回る際、無端ベルト要素が一連のブロック要素の無端ベルト要素支持面上に順次着座していくとき、無端ベルト要素は無端ベルト要素支持面の傾斜に沿って高い位置へ向かおうとすることから、無端ベルト要素の中心を無端ベルト要素支持面の中高湾曲形状の頂点に整合させる作用が自動的に得られるからである。
【０００５】
また下記の特許文献１は、かかるクラウニングに関連して、無端ベルト要素支持面の幅方向両端部の領域に於けるクラウニングの曲率半径を幅方向中央部の領域に於けるクラウニングの曲率半径より小さくし、これによって無端ベルト要素を無端ベルト要素支持面に対し幅方向中央に整合させるクラウニング効果の増強を図ったものである。尚、下記の特許文献２には、応力振幅を減少させるためにサドル面のブロック進行方向の端部をクラウニングすることが記載されている。
【特許文献１】
実開昭６１−１６２６３６号公報
【特許文献２】
特開２００１−２１００７号公報
【０００６】
【発明が解決しようとする課題】
上記特許文献１に於ける如く無端ベルト要素支持面の幅方向両端部に於けるクラウニングの曲率半径を無端ベルト要素支持面の幅方向中央部に於けるクラウニングの曲率半径より小さくすれば、無端ベルト要素を無端ベルト要素支持面に対し幅方向中央に整合させるクラウニング効果を高め、無端ベルト要素に対するブロック要素の横ぶれをよりよく抑えることはできると予想されるが、無端ベルト要素支持面の幅方向両端部の於けるクラウニング曲率半径が小さくされると、無端ベルト要素の幅方向両端部は無端ベルト要素支持面より浮き上がりがちとなり、無端ベルト要素は幅方向中央の帯域のみにて伝達力を担持する状態となり、この幅方向中央帯域にて過荷重状態となり、無端ベルト要素の耐久性が損なわれる恐れがある。
【０００７】
本発明は、上記の如き無端ブロックベルトに於けるクラウニングと無端ベルト要素の幅方向荷重分布の関係に着目して無端ベルト要素の耐久性を向上させすることを課題としている。
【０００８】
【課題を解決するための手段】
上記の課題を解決するものとして、本発明は、一対の帯状無端ベルト要素と、中央の頚部の両側に形成された一対の無端ベルト要素保持溝にて前記一対の無端ベルト要素と保持し前記無端ベルト要素が湾曲するとき前記無端ベルト要素保持溝の一方の縁が呈する無端ベルト要素支持面にて前記無端ベルト要素を支える一連のブロック要素とを有する無端ブロックベルトにして、前記ブロック要素の前記無端ベルト要素支持面は前記無端ベルト要素の幅に対応する幅領域の一部に於いてのみクラウニングされており、前記無端ベルト要素は前記無端ベルト要素支持面のクラウニングに対応した幅領域の一部に於いて前記クラウニングに対応して湾曲されていることを特徴とする無端ブロックベルトを提供するものである。
【０００９】
上記の如き無端ブロックベルトに於いて、前記クラウニングは前記無端ベルト要素支持面の幅方向両端の帯域を除く中央の帯域に於いてなされていてよい。
【００１０】
【発明の作用及び効果】
上記の如く一対の帯状無端ベルト要素と、中央の頚部の両側に形成された一対の無端ベルト要素保持溝にて前記一対の無端ベルト要素と保持し前記無端ベルト要素が湾曲するとき前記無端ベルト要素保持溝の一方の縁が呈する無端ベルト要素支持面にて前記無端ベルト要素を支える一連のブロック要素とを有する無端ブロックベルトに於いて、前記ブロック要素の前記無端ベルト要素支持面が前記無端ベルト要素の幅に対応する幅領域の一部に於いてのみクラウニングされ、前記無端ベルト要素が前記無端ベルト要素支持面のクラウニングに対応した幅領域の一部に於いて前記クラウニングに対応して湾曲されていれば、前記無端ベルト要素と前記ブロック要素の間の整合を前記無端ベルト要素支持面の幅方向に沿った一部の部分的クラウニングにより達成しつつ、前記無端ベルト要素の幅方向領域の多くの部分を扁平状態とすることにより前記無端ベルト要素の各部に於ける荷重担持を均一化し、無端ベルト要素に作用する応力を全体として低下させ、その耐久性を高めることができる。
【００１１】
クラウニングによる案内機能はクラウニング部が呈する斜面の角度に依存し、この傾斜角はクラウニング湾曲の曲率半径が小さくなるほど大きくなり、クラウニングが施される幅領域が小さくなればクラウニング湾曲の曲率半径は小さくなる。従って、ブロック要素に対し無端ベルト要素を整合させるに必要なクラウニング効果を得るには、ブロック要素の無端ベルト要素支持面は必ずしも全幅にわたってクラウニングされなくて、両者が当接する幅方向領域の一部に於いてクラウニングされれば、多くの場合両者の整合を確実に達成することができる。
【００１２】
クラウニングがブロック要素の無端ベルト要素支持面の幅方向領域の一部にのみに施される場合、それが無端ベルト要素支持面の幅方向両端の帯域を除く中央の帯域に於いてなされれば、クラウニングに於ける一対の傾斜面の案内作用を左右両方向に於いて平衡させることにより、クラウニングによる整合案内の安定性を高めることができる。
【００１３】
【発明の実施の形態】
図１は本発明による無端ブロックベルトを図３に示した従来例に対比させた一つの実施の形態に於いて示す図３と同様の図であり、図２に示す無段変速機の構成で見れば、同じく切断表示３−３による無端ベルト要素の断面とブロック要素の輪郭を示す概略図である。図１に於いては、図３に示す部分に対応する部分は図３に於けると同じ符号により示されている。
【００１４】
図示の実施の形態に於いては、本発明による無端ブロックベルトのブロック要素２４ｉは、無端ベルト要素支持面２２の幅方向両端部を除く中央部２２ａに於いてのみクラウニングされている。図より明らかな通りクラウニングの幅が小さくなったことに対応して、それが曲率中心Ｏｃｐに対しなす曲率半径は図３に示す従来技術の場合の曲率半径に比して小さくなり、それに伴ってクラウニングがなす斜面の傾斜角は従来技術の場合に比して大きくなっている。このように無端ベルト要素支持面２２の一部に於いてのみクラウニングがなされていても、クラウニング作用に於けるクラウニング部面積の減少がクラウニング斜面角の増大により補償されれば、クラウニングの設計が適当になされることにより、一連のブロック要素は一対の無端ベルト要素と共に常に左右方向位置に関し正しく整合した状態となり、ブロック要素の左右方向の位置の乱れによりブロック要素とプーリとの出会いの際に両者間に大きな横方向衝撃が生ずる虞れはなくなり、且つ無端ベルト要素の耐久性を向上させることができる。
【００１５】
以上に於いては本発明を一つの実施の形態について詳細に説明したが、かかる実施の形態について本発明の範囲内にて種々の変更が可能であることは当業者にとって明らかであろう。
【図面の簡単な説明】
【図１】本発明による無端ブロックベルトを図３に示す従来例に対比させた一つの実施の形態に於いて示す概略図。
【図２】無端ブロックベルトを２つのＶ型プーリ対の間に架け渡して無段変速機を構成した従来の典型例を示す概略図。
【図３】図２の断面表示３−３による無端ベルト要素の断面とブロック要素の輪郭を示す無端ブロックベルトの従来例の概略図。
【符号の説明】
１０，１２…Ｖ型プーリ対の片方、１４…無端ブロックベルト、１６…無端ベルト要素、１８…頚部、２０…無端ベルト要素保持溝、２２…無端ベルト要素支持面、２２ａ…クラウニング部、２４…ブロック要素の従来例、２４ｉ…本発明によるブロック要素の一実施の形態
【図１】
2004150570.tif 000003
【図２】
2004150570.tif 000004
【図３】
2004150570.tif 000005